(57)【要約】【課題】遊技者の利便を担保する。【解決手段】外枠１０に対して遊技機本体３００を揺動自在に支持し、外枠１０の底板１０ｂと遊技機本体３００との間の幕板１０２に、携帯電話などの小物を収容する収容容器４１を設ける。収容容器４１には、小物が収容されているか否かを検出するセンサを設け、小物が収容されている場合には、開閉センサＳ１で遊技機本体３００の開放操作を検出した場合には、警報を発し、小物と遊技機本体３００との接触を防止する。【選択図】  図２
2009078010.tif 000002
【特許請求の範囲】
【請求項１】
外枠と、
該外枠の片側側枠に揺動自在に支持された枠体と、
前記枠体は、該外枠の前面を覆う状態で係止された閉止状態と、前記外枠から正面側に開いた開放状態とに移動可能に支持され、
前記外枠の底板と前記枠体との間に配置された幕板とを備えた遊技機であって、
前記幕板の正面側には、上側に開口を有する収容部が設けられていることを特徴とする遊技機。
【請求項２】
前記枠体を前記閉止状態に維持するための係止手段と、
前記係止手段の解除を検出する解除検出手段と、
前記収容部内に被収納物が収容されているか判断する収容判断手段と、
前記解除検出手段と前記収容判断手段からの検出信号に基づいて、報知を行なう報知手段とを備える請求項１に記載の遊技機。
【請求項３】
前記枠体を前記閉止状態に維持するための係止手段と、
前記枠体が外枠から離間しているかを検出する開放検出手段と、
前記収容部内に被収納物が収容されているか判断する収容判断手段と、
前記開放検出手段と前記収容判断手段からの検出信号に基づいて、報知を行なう報知手段とを備える請求項１に記載の遊技機。
【請求項４】
幕板に対して独立して設けられた前記収容部と、
前記収容部を、幕板に対して上下動自在に支持する支持機構と、
前記収容部を上方へ付勢する付勢部材と、
被収容物の収容状態に応じて生じる前記収容部の変位を検出する検出部材と、
前記収容判断手段は、前記検出部材が検出した変位に基づいて被収容物が収容されていることを検出するものである請求項２または３に記載の遊技機。
【請求項５】
前記収容判断手段は、
前記収容部内に配置され、被収容物との接触により変位可能な変位部材と、
被収容物の収容状態に応じて生じる前記変位部材の待機位置からの変位を検出する変位検出手段とを備え、
前記収容判断手段は、前記変位検出手段が検出した変位に基づいて被収容物が収容されていることを検出するものである請求項２または３に記載の遊技機。
【請求項６】
前記収容判断手段は、前記収容部内に光を照射する光源と、
前記収容部内に設けられ、前記光源からの光の反射光を受光する受光素子とを備え、
前記報知手段は、受光素子で受光する光量の変化に応じて、被収容物の収容状態を判断する請求項２または３に記載の遊技機。
【発明の詳細な説明】
【技術分野】
【０００１】
本発明は、遊技機に係り、詳しくは幕板部分に収容部を有する遊技機に関するものである。
【背景技術】
【０００２】
従来の弾球遊技機では、遊技球を発射する発射装置によって投入された遊技球を遊技領域内に流下させ、遊技球が所定の入賞口へ入賞した場合には、賞球が得られる構成となっている。そして、近年の弾球遊技機の中には、始動入賞口に遊技球が入賞することを契機に、抽選が開始され、当選した場合には、通常遊技以上に遊技球が入賞しやすい特別遊技状態(いわゆる確率変動状態)に遊技状態が切り換る遊技機が提案されている。  
さらに、遊技機では、抽選を実行している間、大型表示画面に演出画像が表示され、その他装飾装置から各種演出パターンが音声や発光により、出力される機種が増加している。
【０００３】
このような遊技機では、リーチ状態や確率変動状態など遊技状況に応じて演出内容が複雑となり、遊技者に対して遊技に対する興味を増進させるための演出が多く提案されている。  
例えば、演出音による刺激を向上させるため、複数の音域に分けたスピーカを複数遊技機配置し、或いは視覚的な刺激を増加させるために、光源を多数配置し、更には、遊技内容に対して遊技者の参加意識をより高めるために、選択ボタンや操作ボタンを設けるなどである。
【特許文献１】特開平１０−２６３１６８号
【発明の開示】
【発明が解決しようとする課題】
【０００４】
一方、遊技者は、喫煙や飲食を遊技中に行なう場合があり、特許文献１に記載されているように、遊技機の下部に灰皿やドリンクホルダーなどが設けられていることが、遊技者の利便性を向上させることとなる。  
しかし、上記のような演出用の構成は、遊技領域内に限らず、ガラス枠や下皿の周囲にも多数配置される。特に下皿ユニットには、発射ハンドルや操作用のボタン類、球抜き用の操作ボタンなど、配置される要素が多数あるため、配置スペースを確保することが困難であるといった問題があった。  
特に、灰皿やドリンクホルダーのように、遊技に無関係な要素については、省略される傾向にあり、遊技者に不便を強いるといった問題があった。このため、パチンコホールでは、遊技球を貯留する貯留箱を載置する台に、灰皿やドリンクホルダーを設けているものがあるが、紛失し、或いは貯留箱を交換する際に台から落下させてしまうといった問題があった。
【０００５】
この発明の目的は、操作ボタン等の配置領域を侵すことなく、遊技者の所有物を収容する収容領域を確保しつ、遊技者の利便を担保することができる遊技機を提供することにある。
【課題を解決するための手段】
【０００６】
以上のような問題を解決する本発明は、以下のような構成を有する。  
（１）  外枠と、
該外枠の片側側枠に揺動自在に支持された枠体と、
前記枠体は、該外枠の前面を覆う状態で係止された閉止状態と、前記外枠から正面側に開いた開放状態とに移動可能に支持され、
前記外枠の底板と前記枠体との間に配置された幕板とを備えた遊技機であって、
前記幕板の正面側には、上側に開口を有する収容部が設けられていることを特徴とする遊技機。
【０００７】
（２）  前記枠体を前記閉止状態に維持するための係止手段と、
前記係止手段の解除を検出する解除検出手段と、
前記収容部内に被収納物が収容されているか判断する収容判断手段と、
前記解除検出手段と前記収容判断手段からの検出信号に基づいて、報知を行なう報知手段とを備える上記（１）に記載の遊技機。
【０００８】
（３）  前記枠体を前記閉止状態に維持するための係止手段と、
前記枠体が外枠から離間しているかを検出する開放検出手段と、
前記収容部内に被収納物が収容されているか判断する収容判断手段と、
前記開放検出手段と前記収容判断手段からの検出信号に基づいて、報知を行なう報知手段とを備える上記（１）に記載の遊技機。
【０００９】
（４）  幕板に対して独立して設けられた前記収容部と、
前記収容部を、幕板に対して上下動自在に支持する支持機構と、
前記収容部を上方へ付勢する付勢部材と、
被収容物の収容状態に応じて生じる前記収容部の変位を検出する検出部材と、
前記収容判断手段は、前記検出部材が検出した変位に基づいて被収容物が収容されていることを検出するものである上記（２）または（３）に記載の遊技機。
【００１０】
（５）  前記収容部内に配置され、被収容物との接触により変位可能な変位部材と、
被収容物の収容状態に応じて生じる前記変位部材の待機位置からの変位を検出する変位検出手段と、
前記収容判断手段は、前記検出部材が検出した変位に基づいて被収容物が収容されていることを検出するものである上記（２）または（３）に記載の遊技機。
【００１１】
（６）  前記収容判断手段は、前記収容部内に光を照射する光源と、
前記収容部内に設けられ、前記光源からの光の反射光を受光する受光素子とを備え、
前記報知手段は、受光素子で受光する光量の変化に応じて、被収容物の収容状態を判断する上記（２）または３に記載の遊技機。
【発明の効果】
【００１２】
請求項１に記載の発明によれば、幕板側に収容部が設けてあるので、遊技機の操作ボタンやスピーカ等の配置領域を侵すことなく、ドリンクの容器や、たばこ、携帯電話などの小物を収容することができ、遊技者にとっての利便性が向上する。  
請求項２に記載の発明によれば、以下の効果を有する。即ち、収容部に被収容物が収容されている状態で、枠体を開放すると、被収容物が枠体に接触して、遊技機又は被収容物が破損する恐れがある。このため、収容判断手段が収容物を収容していることを判断した場合には、枠体の係止解除を解除検出手段が検出した時に、報知手段により、その旨報知することによって、枠体と被収容物の接触を未然に防止する。
【００１３】
請求項３に記載の発明によれば、以下の効果を有する。即ち、収容部に被収容物が収容されている状態で、枠体を開放すると、被収容物が枠体に接触して、遊技機又は被収容物が破損する恐れがある。このため、収容判断手段が収容物を収容していることを判断した場合には、外枠から枠体が離間していることを開放検出手段が検出した時に、報知手段により、その旨報知することによって、枠体と被収容物の接触を未然に防止する。  
請求項４に記載の発明によれば、収容部内に収容される被収容物の形状や大きさに影響されず、被収容物の有無を検出することができる。
【００１４】
請求項５に記載の発明によれば、被収容物との接触によって変位部材が変位したことを検出手段が検出した場合には、被収容物が収容部に収容されていると判断し、報知手段により、その旨報知することによって、枠体と被収容物の接触を未然に防止する。このような構成によれば、被収容物の重量にかかわりなく、被検出物を検出することができる。  
請求項６に記載の発明によれば、収容部内に収容される被収容物の重量の大小に影響されず、被収容物の有無を確実に検出することができる。
【発明を実施するための最良の形態】
【００１５】
図１は、本実施形態における遊技機を示す図である。以下、本明細書において、遊技機の遊技者が配置される側を正面、前面又は前側として表現し、遊技者の配置位置に対して反対側を背面、後面又は後側とし、図１に示されているような正面視において、左右方向をＹ軸方向、前後方向をＸ軸方向、鉛直方向をＺ軸方向と定義し、右方向をＹ軸方向の正方向、前側から後側へ向かう方向をＸ軸方向の正方向、鉛直下方へ向かう方向をＺ軸の正方向と定義する。
【００１６】
図１において弾球遊技機１００は、外郭方形枠サイズに形成されて縦長の固定保持枠を構成する外枠１０の開口前面に、外枠１０に合わせて方形枠サイズに形成された開閉搭載用の前枠２を備えている。  
前枠２は、外枠１０の正面左側上下に取り付けられたヒンジ金具３Ａ、３Ｂにより外枠１０に対して開閉可能に取り付けられ、さらに、外枠１０の正面右側に設けられた施錠装置１２によって閉鎖状態に保持されるようになっている。
【００１７】
前枠２には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて形成された略円形状の遊技領域６が設けられている。  
遊技領域６には、略中央部に表示装置として液晶表示装置で構成された表示部６ａが設けられている。この表示部６ａは、各種表示装置を兼ねており、図柄変動表示装置６ｊや普通図柄変動表示装置２６４ｄとしての機能を備える。表示部６ａの周りには装飾部材６Ｂや、始動入賞口６ｃ、および特別入賞口６ｄ、その他入賞口６ｋなどがそれぞれ配置されている。遊技領域下部にはアウト球を回収するアウト口６ｅも設けられており、始動入賞口６ｃや特別入賞口６ｄに入賞せずに落下したアウト球を遊技盤３の背面側から機外に排出できるようになっている。
【００１８】
また、前枠２の前面上部側には、遊技盤３を視認できるように透明なガラス盤を備えたガラス枠７０が水平方向に開閉可能かつ着脱可能に設けられ、通常は、施錠装置１２により閉鎖状態に保持されて遊技盤３の前面を覆っている。  
前枠２の前面下部側でガラス枠７０の下方には、皿ユニット７０１が設けられている。皿ユニット７０１は、前枠２に開閉自在に支持されている背面板に、片側から揺動自在に支持されている。皿ユニット７０１は、前枠２に対して正面側に揺動した開放状態と、背面板に平行に沿って閉じられた閉止状態とに移動可能に支持されている。皿ユニット７０１は、図示しないロック機構により通常、遊技盤３に沿った閉鎖状態に保持されている。皿ユニット７０１は、球受け皿を構成している球貯留部７０１ａと、球貯留部７０１ａの正面左側下部に設けられた灰皿７０１ｂと、球貯留部７０１ａの正面右側下部に設けられた発射ハンドルＨと、ボタン７０１ｄとを有している。
【００１９】
また、図２に示すように、皿ユニット７０１の背後には、前枠２の後側に遊技補助盤が形成されており、ここに発射ハンドルＨの回動操作（回動角度位置）に応じて遊技球を打ち出す遊技球発射装置の発射機構部が設けられている。また、皿ユニット７０１の背後には、賞球の払出し等を行うための球搬出装置２５ｄ（図１０参照）から払い出された遊技球のうち、球貯留部７０１ａに排出し切れない遊技球を一時貯留する貯留ケース、遊技球発射装置によって打ち出された遊技球のうち、遊技領域６に到達できずに戻ってきたファール球を、貯留ケースを介して球貯留部７０１ａに回収処理するファール球回収通路などが設けられている。
【００２０】
図２に示されているように、遊技盤３の裏側には、裏セット盤２０が着脱可能に取り付けられている。裏セット盤２０には、遊技球を貯留する球貯留タンクや、遊技盤３における入賞状態に基づいて遊技球を払い戻す球搬出装置、この球搬出装置から払い戻された遊技球を貯留ケースに導く払出通路などの賞球機構が設けられている。また、裏セット盤２０の裏面側に、電源基板や発射制御基板、主制御基板、払出制御基板、ランプ・音声制御基板などの各種回路基板が取り付けられ、これら回路基板と電気・電子部品とは、ワイヤーハーネスで接続されて、遊技可能に構成される。以上のような構成された弾球遊技機１００は、外枠１０の底板１０Ｂを貫通する貫通固定具としての釘を基台ＢＳに打ちつけることにより、基台ＢＳ上に固定される。
【００２１】
また、遊技盤３の裏側開放端上下部には、係止具１２Ａ、１２Ｂがそれぞれ背面側に突出している。係止具１２Ａ、１２Ｂは、施錠装置１２に鍵を差し込んで回動させることにより、上下に移動する構成となっている。外枠１０の開放側の側枠の内壁には、前記係止具１２Ａ、１２Ｂに係合する係合部１０Ｅ、１０Ｅが設けられ、遊技機本体３００を外枠１０内に収容した設置状態で、係止具１２Ａ、１２Ｂと係合部１０Ｅ、１０Ｅが係合し、遊技機本体３００を設置状態に維持する構成となっている。また、一方の係合部１０Ｅには、係止具１２Ａが下方に移動して、係合を解除する方向に移動したことを検出する開閉センサＳ１が配置されている。
【００２２】
遊技機本体３００は、係止具１２Ａ、１２Ｂと係合部１０Ｅ、１０Ｅとの係合を解除して、手前側に揺動させることにより、球貯留タンク等の裏側の構造、制御基板等を保守点検できる構成となっている。下側の係止部１０Ｅの近傍には、遊技機本体３００が外枠１０から離れたことを検出する開放検出手段としての開放検出スイッチＳ２が設けられている。開放検出スイッチＳ２は、前枠２の背面側に、先端が当接する当接部材と、該当接部材を出没自在に支持する本体とを備えている。当接部材は、当接部材が本体内に没した状態と、本体から突出した状態とに移動可能であり、突出方向に付勢されている。前枠２を閉じた状態では、当接部材が前枠２によって本体内に押し込まれ、本体に没した状態となるように構成されている。当接部材が本体から突出した状態となった場合に、前枠２が開放されたことを示す信号を出力する。
【００２３】
開放検出スイッチＳ２は、センサＳ２と前枠２との距離を検出する距離センサであってもよい。この他センサＳ２は、遊技機本体３００が、離れた距離を検出し、制御装置側で、センサＳ２から供給される値が所定値以上となったときに、前枠２が開放されたものと判断するように構成される。開閉センサＳ１により、解除検出手段が構成される。
【００２４】
以上のような構成のパチンコ遊技機１００は、ガラス枠７０、皿ユニット７０１などが閉鎖施錠された状態で遊技に供され、球貯留部７０１ａに遊技球を貯留させて発射ハンドルＨを回動操作することにより遊技が開始される。すなわち、図１中に太線矢印で示すように発射ハンドルＨが回動操作されると、球貯留部７０１ａに貯留された遊技球が１球ずつ発射機構部に送り出され、発射機構部の打球杵により遊技領域６に打ち出され、パチンコゲームが展開される。  
このように遊技球発射装置は、遊技者が遊技領域６内の所定位置に遊技球が打ち出せるように、遊技者自身が発射強度を調整可能に構成されていると共に、上述した発射ハンドルＨがその調整装置になっている。
【００２５】
上記のように、前枠２及び、遊技盤３の正面側に設けられた遊技領域６、表示部６ａ、各種入賞口、ガラス枠７０、皿ユニット７０１、背面側に設けられた制御基板等により遊技機本体３００が構成される。このような遊技機本体３００は、前枠２を介して外枠１０内に支持されるが、遊技機本体３００と、外枠１０を構成する底板１０Ｂの間に、幕板１０２が設けられている。また、外枠１０の底板１０Ｂは、基台ＢＳ上に釘などにより固定される。
【００２６】
既述のように、外枠１０に対して、前枠２が揺動自在に支持され、また、前枠２に対してガラス枠７０、皿ユニット７０１が揺動自在に支持されており、これら、前枠２は直接的に、ガラス枠７０、皿ユニット７０１は、前枠２を介して間接的に、外枠１０に揺動自在に支持されている。これら、前枠２、ガラス枠７０又は皿ユニット７０１が枠体として、外枠１０に対して、直接的又は間接的に揺動自在に支持されている。なお、ガラス枠７０は、皿ユニット７０１と一体に構成された構成を有する遊技機の場合には、ガラス枠と皿ユニットとを一体とした部材が、枠体として支持される。  
幕板１０２には、左端部に収容装置４が設けられている。収容装置４は、被収容物Ｋであるドリンク容器、携帯電話、タバコなど、遊技者の所有する小物を収容するために設けられている。
【００２７】
図３は、収容装置４の構成を示す全体斜視図である。以下、収容装置４について説明する。収容装置４は、収容部としての収容容器４１と、収容容器４１を上下方向に移動自在に支持する支持機構と、収容容器４１を上方へ向けて付勢する付勢部材であるスプリング４５１と、収容容器４１が下降移動を検出する収容判断手段とを備えている。
【００２８】
収容容器４１は、箱形状に形成され、上方に開口４２１を有する収容部４２を備えている。収容容器４１の背面側(Ｘ軸方向)には、板状の連結部４３１が突出し、連結部４３１の先端にはフランジ４３２、４３２が左右に突出し、さらにフランジ４３２の背面側には、筒状の挿通部４３３が上下方向に設けられている。また、フランジ４３２の片側端には、遮蔽部４３４が背面方向に突出している。
【００２９】
幕板１０２には、上下方向に案内溝４４が形成されており、案内溝４４は正面側から背面側まで連通している。案内溝４４内には、収容容器４１の連結部４３１が挿入され、案内溝４４の内壁によって、連結部４３１を上下方向に案内する作用を有する。また、この際、フランジ４３２と、収容容器４１の背面４２２との間に幕板１０２を厚方向に挟む構成となり、これによっても、収容容器４１は、上下方向に案内される。案内溝４４と連結部４３１との関係およびフランジ４３２と背面４２２に挟まれた幕板１０２との関係によって、収容容器４１は上下方向に平行移動する。
【００３０】
挿通部４３３には、幕板１０２の背面側において底板１０Ｂ上に立設されたガイド部材４５が挿通する。棒状のガイド部材４５には、挿通部４３３と底板１０Ｂとの間に、付勢部材である圧縮スプリング４５１が外装されている。この圧縮スプリング４５１は、収容容器４１の重さに抗して上方へ押し上げられる程度の強度を有し、収容容器４１は、常時上方へ付勢されている。
【００３１】
遮蔽部４３４の両側には、収容部センサとして光源４６ａと、光源４６ａからの光を受光して信号を出力する受光素子４６ｂが設けられている。光源４６ａと、受光素子４６ｂは、相互に対向する位置に配置されている。遮蔽部４３４が、光源４６ａと受光素子４６ｂの間に位置する場合には、受光素子４６ｂは光を受光せず、遮蔽部４３４が移動することで、受光素子４６ｂが受光する構成となっている。図３に想像線で示されている位置関係は、収容容器４１に被収容物が収容されていない状態の遮蔽部４３４の位置を示すものである。この構成例では、被収容物が収容されていない状態で、遮蔽部４３４が受光素子４６ｂの受光を遮る構成となっている。
【００３２】
被収容物が収容容器４１に収容されると、被収容物の重さによって、スプリング４５１が圧縮され、収容容器４１が下降する。これにより、遮蔽部４３４が光源４６ａと受光素子４６ｂの間から移動し、受光素子４６ｂが光源４６ａの光を受光し、信号を出力する。光源４６ａと受光素子４６ｂの配置位置は、収容容器４１が下降した際に、遮蔽部４６４が光源４６ａと受光素子４６ｂの間に位置する構成であってもよい。遮蔽部４６４、光源４６ａ、受光素子４６ｂによって、検出部材が構成される。検出手段は、この他、フランジ４３２或いは遮蔽部４３４に接触することにより位置検出を行なう、タッチセンサであってもよい。また、被検出部である遮蔽部４３４の上下方向の移動量を電気抵抗の変化量として検出し、或いは静電容量の変化量として検出する変位センサを設け、該検出された変位量を出力するセンサを用いて、検出部材としてもよい。この場合、変位量が発生することに基づいて、被収容物が収容されていると判断することにより、軽量の被収容物の検出も可能となる。
【００３３】
このように、収容容器４１全体が下降することにより、被収容物の有無を検出する構成とすることにより、被収容物の形状に影響されることなく、被収容物の有無を確認することができる。  
収容部は、箱状の収容容器に限らず、網体、線材又は棒材を平行又は格子状に配置したもの、或いはトレーのみや、左右から被収容物を挟みこんで保持する構成のものでもよい。
【００３４】
図５は、収容装置の他の構成を示すものである。収容容器４１Ａは、幕板１０２の正面側に固定され、上方に開口４２１Ａを有する収容部４２Ａを備えている。収容部４２Ａの背面側内壁には、光源４６ａＡと、受光素子４６ｂＡが埋設されている。このような収容容器４１Ａに被収容物を挿入すると、光源４６ａＡからの光が反射されて受光素子４６ｂＡに入射し、被収容物が収容されていない状態における光の受光量と違いが生じる。この違いを検出することにより、被収容物の有無を判定する。受光量の変化に基づき、被収容物の有無を検出することにより、被収容物を収容した状態の違いによる検出誤差を少なくすることができる。
【００３５】
例えば、背面に近接した位置に被収容物を配置した場合には、受光素子４６ｂＡへ入射する光量が減るが、正面側に被収容物を配置した場合には、反射する面が、なにも収容していない状態の反射面(この場合の反射面は、正面側の内壁となる)より光源４６ａＡより近くなるため、受光素子４６ｂＡに入射する光量は増加する。この場合、いずれも受光する光量が変化するため、被収容物が収容されているものと判断することが可能となる。この構成例では、光源４６ａＡと受光素子４６ｂＡによって、収容判断手段が構成される。  
以上説明した構成に基づく収容判断手段から出力された検出信号は、後述する報知判定手段２８に供給される。
【００３６】
収容判断手段は、例えば被収容物が携帯電話である場合には、電磁波を検出するセンサであってもよい。携帯電話は定期的に電磁波を出力しているため、電磁波センサによって、携帯電話の有無を検出できるからである。このような構成においては、軽量の携帯電話の検出が可能となる。  
さらに、電磁波センサを用いて、電磁波の出力が所定時間以上である場合には、着信があったものと判断し、携帯電話に着信している旨を報知する報知手段を設けてもよい。着信の有無の判断は、電磁波の出力時間の他、電磁波の出力値が所定以上である場合には、着信していると判断してもよい。この場合、着信している旨を判断する判断手段は、後述の報知判定手段２８とし、遊技者に着信を報知する報知手段は、液晶表示装置で構成された表示部６ａとすることができる。
【００３７】
図５は、他の構成例を示す収容容器４１Ｂの断面正面図である。箱形状に構成された収容容器４１Ｂの内側の収容部４２Ｂ内には、底部に変位部材４３Ｂが配置されている。板状の変位部材４３Ｂは、収容部４２Ｂの底部全面を覆い、上下方向に移動自在に構成され、底部と変位部材４３Ｂの間には、変位部材４３Ｂの変位の有無を検出する変位センサＳ３の検出部４４Ｂが配置されている。
【００３８】
変位センサＳ３は、検出部４４Ｂは、変位センサＳ３の本体に対して出没自在に構成され、突出方向へ常時付勢されている。変位部材４３Ｂが底部方向へ移動することにより、検出部４４Ｂが没し変位部材４３Ｂが変位したことが検出される。変位センサＳ３は、変位量を検出するセンサであってもよい。変位センサＳ３からの出力信号が、被収容物が収容されたものと判断した信号として、後述の報知判定手段２８に供給される。この場合、ゼロ以上の変位が供給されたことにより、或いは、所定値以上の変位量が検出された場合に、被収容物が収容されているものと判定することができる。収容判断手段は、変位部材４３Ｂと変位センサＳ３とによって構成される。  
なお、変位部材４３Ｂは、底部に沿って設けられた構成の他、収容部４２Ｂの内壁に対して揺動自在に支持し、変位部材４３Ｂの内壁に対する傾斜角度の変位によって、非収容物の有無を検出する構成としてもよい。
【００３９】
次に、本遊技機における遊技制御を行う遊技制御手段について説明する。図６において、遊技制御手段２００は、遊技の進行や演出等を含む弾球遊技機１００全体を統括制御する手段である。遊技制御手段２００は、演算等を行うＣＰＵと、遊技の進行等に必要なプログラムや演出用のデータ等を記憶しておくＲＯＭと、ＣＰＵが各種の制御を行うときに、取り込んだデータ等を一時的に記憶しておくＲＡＭ等とを備える。遊技制御手段２００は、遊技盤３の背面側に設けられた制御基板上に設けられている。ここで、遊技制御手段２００は、１つの制御基板上に限らず、既述のように複数の制御基板上にわたって設けられていても良い。遊技制御手段２００は、本実施形態では、以下の各手段を備える。
【００４０】
（入賞球検出手段）
入賞球検出手段２１は、入賞口６ｋ、始動入賞口６ｃ及び特別入賞口６ｄに遊技球が入賞したときに、その入賞を検出するものである。これらの入賞口６ｋ、始動入賞口６ｃ及び特別入賞口６ｄには、それぞれ、入賞口センサ５ｓ、始動入賞口センサ６ｃｓ及び特別入賞口センサ６ｄｓが設けられ、それぞれ入賞球検出手段２１に電気的に接続されている。
【００４１】
(抽選手段)
抽選手段２２は、入賞球検出手段２１により、始動入賞口６ｃへの遊技球の入賞が検出されたことを条件として、可変表示手段である図柄変動表示装置６ｊに表示する停止図柄に関する抽選を行うものであり、本実施形態では、▲１▼当選／非当選の有無、▲２▼図柄変動表示装置６ｊの図柄の変動表示後の停止図柄、及び▲３▼図柄の変動表示中の変動パターンの抽選を行う。抽選手段２２は、これらの▲１▼〜▲３▼の抽選を行うべく、当たり抽選手段２２ａと、停止図柄抽選手段２２ｂと、変動パターン抽選手段２２ｃとを備える。
【００４２】
（当たり抽選手段）
当たり抽選手段２２ａは、本実施形態では、当たり判定用乱数発生手段と、当たり判定用乱数取得手段と、当たり判定手段とを備える。  
当たり判定用乱数発生手段は、制御プログラム等によって所定の周期（例えば、１６ビット乱数による０〜６５５３５の周期）を有する当たり判定用乱数を発生させる。当たり判定用乱数取得手段は、当たり判定用乱数発生手段によって発生した当たり判定用乱数のうち１の当たり判定用乱数を、所定の時、本実施形態では始動入賞口センサ６ｃｓから送信された検出信号を入賞球検出手段２１が受信した時に取得する。  
当たり判定手段は、当たり判定用乱数取得手段により取得された当たり判定用乱数に基づいて、当選であるか非当選であるかを判定する。  
当選又は非当選の判定結果に基づいて、後述する演出制御手段２７にコマンドを送る。
【００４３】
（停止図柄抽選手段）
停止図柄抽選手段２２ｂは、当たり抽選手段２２ａの当たり判定手段の判定結果に基づいていて、図柄変動表示装置６ｊに停止表示すべき停止図柄を抽選するものである。  
(変動パターン抽選手段)
変動パターン抽選手段２２ｃは、図柄変動表示装置６ｊに表示すべき図柄の変動パターンを抽選するものである。  
当たり抽選手段２２ａの当たり判定手段での判定手段での判定結果に基づいて、複数種類の図柄の変動パターンを記憶したデータテーブルを参照して、いずれか１つの変動パターンを選択する。
【００４４】
(図柄表示制御手段)
図柄表示制御手段２３は、始動入賞口６ｃへの遊技球の入賞により、入賞球検出手段２１が検出信号を受信したことを条件として、図柄変動表示装置６ｊの図柄の変動表示及び停止表示を行うように制御するものである。  
（特別遊技制御手段）
特別遊技制御手段２４は、当たり抽選手段２２ａの当たり判定用乱数取得手段により取得された当たり判定用乱数が当選であり、当選図柄変動表示装置６ｊにより停止表示された図柄が当選図柄(例えば「７７７」)となった場合に、特別遊技に移行させ、その終了条件を満たすまで特別遊技を実行するものである。ここで「特別遊技」とは、通常遊技以上に遊技球が入賞しやすい状態が作り出され、具体的には、特別入賞口駆動装置6ddが作動されて、特別入賞口６ｄが開放され、遊技球を受け入れ易い状態になることで、それまで以上に賞球の獲得が期待できる遊技である。
【００４５】
（球搬出制御手段）
球搬出制御手段２５は、賞球の払出し等を行うための球搬出装置２５ｄの駆動を制御するものである。上述したように、始動入賞口センサ５７及び特別入賞口センサ６ｄｓからの検出信号を入賞球検出手段２１が受信したときに、その入賞に対応する数の賞球を払い出すように、球搬出装置２５ｄを制御する。球搬出装置２５ｄは、駆動されると、球を弾球遊技機１の皿７０１ａに払い出す。
【００４６】
（普通図柄制御手段）
普通図柄制御手段２６は、上述した普通図柄変動表示装置２６４ｄの変動表示及び停止表示を制御するためのものであり、以下の各手段を備える。  
（入球検出手段）
入球検出手段２６２は、普通図柄始動口６ｉを遊技球が通過したときに、それを検出するものである。  
普通図柄始動口６ｉを遊技球が通過すると、普通図柄始動口センサ６ｉｓから、そのときの検出信号が入球検出手段２６２に送信される。この検出信号を受信したときに、入球検出手段２６２は、普通図柄始動口６ｉを遊技球が通過したことを検出する。
【００４７】
（普通図柄抽選手段）
普通図柄抽選手段２６３は、普通図柄始動口６ｉを遊技球が通過したことを条件として、普通図柄変動表示装置２６４ｄに停止表示すべき図柄を抽選によって決定するものである。  
普通図柄抽選手段２６３は、上述した当たり抽選手段２２ａと同様に、当たり判定用乱数発生手段と当たり判定用乱数値取得手段と、当たり判定手段とを備える。
【００４８】
（普通図柄変動制御手段）
普通図柄変動制御手段２６４は、普通図柄変動口６ｉを遊技球が通過したときに、普通図柄抽選手段２６３の抽選結果に基づいて、普通図柄変動表示装置２６４ｄの図柄の変動表示及び停止表示を行うように制御するものである。  
普通図柄変動制御手段２６４は、普通図柄変動表示装置２６４ｄの図柄を所定時間変化させ後、最終的には普通図柄抽選手段２６３によって決定された図柄を普通図柄変動表示装置２６４ｄに停止表示させる。
【００４９】
（球誘導装置制御手段）
球誘導装置制御手段２６５は、普通図柄抽選手段２６３の抽選結果に基づいて、球誘導装置２６５ｄの作動を制御するものである。具体的には、普通図柄抽選手段２６３による抽選で当選したときは、球誘導装置２６５ｄを作動させるように制御する。これと逆に、普通図柄抽選手段２６３による抽選で非当選であったときは、球誘導装置２６５ｄを作動させない。
【００５０】
（演出制御手段）
演出制御手段２７は、図柄変動表示装置６ｊに表示される演出画像、演出音声等を制御する。演出制御手段２７は、当たり抽選手段２２ａの抽選結果に基づき、変動パターンが選択され、選択された変動パターンにより、図柄変動表示装置６ｊに表示される演出画像が選択され、これが表示される。また、演出画像に応じた音声を出力する。
【００５１】
(報知判定手段)
報知判定手段２８には、開閉センサＳ１及び開放検出スイッチＳ２からの信号、収容部センサの受光素子４６ｂ又は変位センサＳ３からの信号が供給される。報知判定手段２８は、受光素子４６ｂ又は変位センサＳ３からの信号が供給されている場合で、開閉センサＳ１から係合を解除する信号が供給され、或いは開放検出スイッチＳ２から前枠２が離間したことを示す信号が供給された場合には、作業者に警報を発する。これにより、収容容器４１内に収容されている被収容物と、揺動開放される遊技機本体３００とが接触して、いずれかが破損するといったトラブルを防止することができる。
【００５２】
報知判定手段２８による報知の方法は、装飾用として各部に配置されているＬＥＤを特別なパターン（通常の遊技状態とは異なるパターン）で点滅させる。或いは、液晶画面に注意を促す表示を表示させる、等の視覚的な情報により報知する方法や、ブザー等の警告音、或いは、「容器に物が入っています。注意してください。」などの音声など、聴覚的な情報を供給することにより報知を行なうことができる。
【図面の簡単な説明】
【００５３】
【図１】弾球遊技機の全体正面図である。
【図２】弾球遊技機の全体斜視図である。
【図３】収容装置の全体斜視図である。
【図４】収容部の他の構成例を示す全体斜視図である。
【図５】収容部の他の構成例を示す断面正面図である。
【図６】遊技制御手段の構成を示すブロック図である。
【符号の説明】
【００５４】
１００  弾球遊技機
１０  外枠
１０２  幕板
１０Ｂ  底板
１２  施錠装置
２  前枠
３  遊技盤
３Ａ、３Ｂ  ヒンジ金具
３００  遊技機本体
４  収容装置
４１  収容容器
４６ａ（４６ａＡ）  光源
４６ｂ（４６ｂＡ）  受光素子
６  遊技領域
６ａ  表示部
６ｃ  始動入賞口
６ｄ  特別入賞口
７０  ガラス枠
７０１  皿ユニット
７０１ａ  球貯留部
Ｓ１  開閉センサ
【図１】
2009078010.tif 000003
【図２】
2009078010.tif 000004
【図３】
2009078010.tif 000005
【図４】
2009078010.tif 000006
【図５】
2009078010.tif 000007
【図６】
2009078010.tif 000008